(57)【要約】【課題】  開封時、紙片が紙破れすることなく、容易に開封できる送付物を提供することにある。【解決手段】  矩形状の紙片を重ねて四辺に設けられた接着部で封緘される送付物であって、左右側辺のいずれかの側辺に綴じ部が設けられており、上辺に第一接着部、前記綴じ部が設けられた側辺に対向する側辺に第二接着部、下辺に第三接着部がコの字状に設けられており、前記第一接着部、前記第二接着部、及び前記第三接着部が剥離可能であり、且つ、端縁より後退した位置に設けられていることを特徴とするものである。【選択図】        図２
2017013266.tif 000002
【特許請求の範囲】
【請求項１】
矩形状の紙片を重ねて四辺に設けられた接着部で封緘される送付物であって、
左右側辺のいずれかの側辺に綴じ部が設けられており、
上辺に第一接着部、前記綴じ部が設けられた側辺に対向する側辺に第二接着部、下辺に第三接着部がコの字状に設けられており、
前記第一接着部、前記第二接着部、及び前記第三接着部が剥離可能であり、且つ、端縁より後退した位置に設けられていることを特徴とする送付物。
【請求項２】
前記第一接着部、前記第二接着部、及び前記第三接着部がそれぞれ独立して設けられていることを特徴とする請求項１に記載の送付物。
【請求項３】
前記第一接着部と前記第二接着部の間、または前記第二接着部と前記第三接着部の間の非接着部分に剥離開始部が形成されていることを特徴とする請求項１または請求項２に記載の送付物。
【請求項４】
前記第一接着部、前記第二接着部、前記第三接着部のうち、少なくともいずれかに接着剤塗布領域を示す表示マークが形成されていることを特徴とする請求項１乃至請求項３のいずれかに記載の送付物。
【発明の詳細な説明】
【技術分野】
【０００１】
本発明は、チラシ、パンフレット、カタログ等を封緘し、郵便やメール便等で配送されるダイレクトメール等に好適に利用できる送付物に関する。
【背景技術】
【０００２】
従来、チラシ、パンフレット、カタログ等の配送は、紙製やプラスチックフィルム製の封筒等で封緘された形態が広く採用されている。しかし、これらの封筒は受取人に届くとゴミとして捨てられるものである。そこで近年、環境問題の高まりに伴いゴミを削減する取り組みが活発に行われており、紙製やプラスチックフィルム製の封筒を使用しないで表表紙と裏表紙と一枚の折り込み可能な情報紙体と封緘片等を備え、封緘片を裏表紙、または表表紙に接着した通信体が開示されている（例えば、特許文献１参照）。特許文献１により封筒は不要となったが、上記通信体の受取人は開封の際、封緘片をミシン目に沿って引き剥がしながら切り取るか、ペーパーナイフ等を使用してミシン目に沿って切り離すかしなければならず、切り取った封緘片がゴミになり、あるいは、ペーパーナイフ等を準備しなければならず、開封操作に手間隙がかかり不便なものであった。
【０００３】
また、表紙片、中綴じ紙片、裏表紙片をこの順に重ね合わせ、各紙片の一端縁を綴じ部として接着剤を介して綴じ合わせ、中綴じ紙片の上面の周縁部分と、裏表紙片の上面の周縁部分に剥離可能な擬似接着剤層が形成され、表紙片と中綴じ紙片および中綴じ紙片と裏表紙片が剥離可能な状態で接着された冊子状送付物が提案されている（例えば、特許文献２参照）。特許文献２は、冊子状送付物の受取人は容易に開封ができ特許文献１に開示された通信体の開封操作の不便さは解消されたものとなっている。
【０００４】
しかしながら、特許文献２の冊子状送付物は、剥離可能な疑似接着剤層が周縁端まで形成されているので、冊子状送付物の開封時に表紙片、中綴じ紙片、裏表紙片等の少なくともいずれかが紙片の端縁が紙破れすることがあるという問題がある。また、疑似接着剤層が周縁を囲んで形成され封緘されているため、疑似接着剤層で囲まれた領域内に残存した空気の逃げ道がなく、冊子上送付物に外圧がかかると残存空気が逃げ道を求めて疑似接着剤層を圧迫するので疑似接着剤層で接着された部分が剥離したり、著しい場合にはいずれかの紙片が破れたりすることがある。
【先行技術文献】
【特許文献】
【０００５】
【特許文献１】実開平６−７４３６５号公報
【特許文献２】特開２０１２−７１４３０号公報
【発明の概要】
【発明が解決しようとする課題】
【０００６】
そこで本発明は、上記の問題点に鑑みてなされたものであり、開封時、紙片が紙破れすることなく、容易に開封できる送付物を提供することにある。
【課題を解決するための手段】
【０００７】
本発明は、上記課題を達成するために、請求項１記載の本発明の送付物は、矩形状の紙片を重ねて四辺に設けられた接着部で封緘される送付物であって、左右側辺のいずれかの側辺に綴じ部が設けられており、上辺に第一接着部、前記綴じ部が設けられた側辺に対向する側辺に第二接着部、下辺に第三接着部がコの字状に設けられており、前記第一接着部、前記第二接着部、及び前記第三接着部が剥離可能であり、且つ、端縁より後退した位置に設けられていることを特徴とするものである。
【０００８】
また、請求項２記載の本発明は、請求項１記載の送付物において、前記第一接着部、前記第二接着部、及び前記第三接着部がそれぞれ独立して設けられていることを特徴とするものである。
【０００９】
また、請求項３記載の本発明は、請求項１または請求項２に記載の送付物において、前記第一接着部と前記第二接着部の間、または前記第二接着部と前記第三接着部の間の非接着部分に剥離開始部が形成されていることを特徴とするものである。
【００１０】
また、請求項４記載の本発明は、請求項１乃至請求項３のいずれかに記載の送付物において、前記第一接着部、前記第二接着部、前記第三接着部のうち、少なくともいずれかに接着剤塗布領域を示す表示マークが形成されていることを特徴とするものである。
【発明の効果】
【００１１】
本発明は、矩形状の紙片を重ねて四辺に設けられた接着部で封緘される送付物であって、左右側辺のいずれかの側辺に綴じ部が設けられており、上辺に第一接着部、綴じ部が設けられた側辺に対向する側辺に第二接着部、下辺に第三接着部がコの字状に設けられており、第一接着部、第二接着部、及び第三接着部が剥離可能であり、且つ、端縁より後退した位置に設けられている構成とすることにより、コの字状に設けられた剥離可能な各接着部が各紙片の端縁にかかることがないので、開封時、紙片が紙破れすることなく容易に開封できる。また、送付物は四辺が封緘され、開放された辺がないので第三者に送付物の内容を盗み見されることがない。
【００１２】
また、請求項２記載の本発明は、第一接着部、第二接着部、及び第三接着部がそれぞれ独立して設けられている構成とすることにより、上記効果に加え、第一接着部と第二接着部との間、第二接着部と第三接着部との間、第一接着部と綴じ部との間、及び第三接着部と綴じ部との間に非接着部が４つできる。この４つの非接着部は第一接着部、第二接着部、及び第三接着部、並びに綴じ部で囲まれた領域とこの領域を上下から覆う紙片により形成される空間（空隙）と外部は連通しているので非接着部は空気の逃げ道となり、前記空間の空気は４つの非接着部から容易に抜けるので、各接着部が送付物の製造時や配送時に剥離することがない。
【００１３】
また、請求項３記載の本発明は、第一接着部と第二接着部の間、または第二接着部と第三接着部の間の非接着部分に剥離開始部が形成されている構成とすることにより、上記効果に加え、剥離開始部より容易に送付物を開封できる。また、請求項４記載の本発明は、第一接着部、第二接着部、第三接着部のうち、少なくともいずれかに接着剤塗布領域を示す表示マークが形成されていることにより、接着剤の塗布位置の見当合わせが容易になる。
【図面の簡単な説明】
【００１４】
【図１】本発明の送付物の一実施形態を示す平面図である。
【図２】図１の分解斜視図である。
【図３】図１におけるＡ−Ａ線断面図である。
【図４】図１におけるＢ−Ｂ線断面図である。
【図５】本発明の送付物を開封し見開いた状態を示す説明図である。
【発明を実施するための形態】
【００１５】
以下、図面を参照しながら本発明の実施形態について、説明する。
図１は本発明の送付物の一実施形態を示す平面図、図２は図１の分解斜視図、図３は図１におけるＡ−Ａ線断面図、図４は図１におけるＢ−Ｂ線断面図、図５は本発明の送付物を開封し見開いた状態を示す説明図を示し、図中の１は送付物、１’は開封された送付物、２は綴じ部、３は第一接着部、４は第二接着部、５は第三接着部、３’、４’、５’は剥離された第一接着部、第二接着部、第三接着部、６は剥離開始部、７は切欠き、８は空間、１０は表紙片、１１は差出料金表示、１２は送り先、宛名記載部、１３は広告表示部、１４は差出人記載部、２０は裏紙片、２１は表示マーク、２３、２５、３４、４５は非接着部をそれぞれ示す。
【００１６】
図１は本発明の送付物の一実施形態を示す平面図である。図１に示すように本発明の送付物１は、ゆうメールに用いた一例を示し、矩形状の紙片を重ねて四辺に設けた接着部で封緘した送付物１である。矩形状の表紙片１０の上面には差出料金表示１１や受取人である顧客の送り先、宛名記載部１２や提供する情報の広告表示部１３や送り手の社名を記載する差出人記載部１４等が表示されている。送り先、宛名記載部１２等の可変情報は例えばレーザープリンターにより印字されている。
【００１７】
また、送付物１は左下が剥離開始部６とされ、表紙片１０の左下には切欠き７が設けられ、切欠き７により裏紙片２０が見えており、裏紙片２０に印刷された「ＯＰＥＮ」という表示により開封箇所が明確にされている。剥離開始部６に設けられた表紙片１０の切欠き７は必須ではないが設ける方が好ましく、開封開始位置が一目でわかると共に指で紙片が摘まみやすく容易に開封できる。
【００１８】
図２は図１の分解斜視図、図３は図１におけるＡ−Ａ線断面図、図４は図１におけるＢ−Ｂ線断面図である。図２、図３、図４を参照しながら本発明の送付物１の一実施形態の構造について説明する。図２に示すように送付物１は上下に縦長の矩形状の紙片である表紙片１０と裏紙片２０を重ねて四辺に設けられた接着部で封緘される構成である。右側辺に綴じ部２が設けられており、上辺に第一接着部３、綴じ部２が設けられた右側辺に対向する左側辺に第二接着部４、下辺に第三接着部５がコの字状に設けられている。綴じ部２は接着剤で強接着されており、第一接着部３、第二接着部４、及び第三接着部５は擬似接着剤で剥離可能に弱接着されている。第一接着部３、第二接着部４、及び第三接着部５は、端縁より後退した位置に設けられており、第一接着部３、第二接着部４、及び第三接着部５の外縁から端縁までは非接着とされている。
【００１９】
また、第一接着部３、第二接着部４、及び第三接着部５はそれぞれ独立して設けられており、第一接着部３と綴じ部２との間、第三接着部５と綴じ部２との間、第一接着部３と第二接着部４との間、及び第二接着部４と第三接着部５との間にそれぞれ非接着部２３、２５、３４、４５がそれぞれ形成されている。この４つの非接着部２３、２５、３４、４５は、第一接着部３、第二接着部４、及び第三接着部５、並びに綴じ部２で囲まれた領域とこの領域を上下から覆う表紙片１０、裏紙片２０により形成される空間８（図３、図４参照）と外部は連通している。したがって、非接着部２３、２５、３４、４５は、空気の逃げ道となり、空間８（空隙）内の空気は４つの非接着部２３、２５、３４、４５から容易に抜けるので、各接着部３、４、５が送付物の製造時や配送時に剥離することがない。
【００２０】
また、図２に示すように第二接着部４と第三接着部５の間の非接着部４５の部分に剥離開始部６が形成されている。剥離開始部６の非接着部４５の大きさは他の非接着部２３、２５、３４の大きさより大きくなるように形成されており、開封時、紙片を指で摘まみやすくされている。なお、剥離開始部６は第一接着部３と第二接着部４の間の非接着部３４の位置に形成することもできる。この場合、非接着部３４は他の非接着部２３、２５、４５より大きくする方が好ましい。
【００２１】
裏紙片２０の両面及び表紙片１０の内面（裏紙片２０と対向する側）には図示しないが広告等が印刷されている。さらに裏紙片２０の内面（表紙片１０と対向する側）には剥離可能とするための擬似接着剤を塗布する領域を示す表示マーク２１が形成されている。表示マーク２１は広告等の印刷と見当合せされており、擬似接着剤は表示マーク２１に見当合せして塗布される。表示マーク２１は疑似接着剤の塗布位置の見当合せが容易となるので設ける方が好ましい。図２には表示マーク２１が細長い形状の第一接着部３、第二接着部４、及び第三接着部５の長い方向の両端にそれぞれに形成した例を示したが、いずれか片方の端だけでもよく、また、第一接着部３、第二接着部４、及び第三接着部５のうち、いずれかの接着部１つ以上であればよい。さらに、表示マーク２１は表紙片１０の内面に形成することもできる。
【００２２】
送付物１の表紙片１０に表示された広告表示部１３、差出人記載部１４等の固定情報や、裏紙片２０に記載された広告表示等の固定情報及び表示マーク２１はオフセット印刷法により印刷されるものであり、表紙片１０や裏紙片２０に記載される送り先、宛名記載部１２等の可変情報はプリンター印字されるものである。
【００２３】
図３は図１におけるＡ−Ａ線断面図であり、表紙片１０と裏紙片２０を剥離可能に貼り合せた接着部のうち、上辺の第一接着部３と下辺の第三接着部５が見えている。図４は図１におけるＢ−Ｂ線断面図であり、表紙片１０と裏紙片２０を剥離可能に貼り合せた接着部のうち、左辺の第二接着部４と、表紙片１０と裏紙片２０を強接着して綴じ合せた右辺の綴じ部２が見えている。第一接着部３、第二接着部４、第三接着部５は表紙片１０と裏紙片２０の端縁より後退した位置にコの字状に設けられており、そうすることにより開封時、紙片が紙破れすることを防止できる。図３、図４に示すように第一接着部３、第二接着部４、第三接着部５の３つの剥離可能な接着部と綴じ部２で囲まれた領域とこの領域を上下から覆う表紙片１０、裏紙片２０により空間８（空隙）が形成されている。
【００２４】
綴じ部２に用いられる接着剤はライングルーと呼ばれるものでアクリル系樹脂、酢酸ビニル系樹脂、エチレン酢酸ビニル共重合体樹脂、ウレタン系樹脂等のエマルジョン接着剤等であり、表紙片１０と裏紙片２０とが強接着されるものである。
【００２５】
第一接着部３、第二接着部４及び第三接着部５に用いられる疑似接着剤は、表紙片１０と裏紙片２０が剥離可能なように弱接着されるものである。疑似接着剤としては、例えば、酢酸ビニル共重合体、エチレン−酢酸ビニル共重合体、ポリウレタン、ポリオレフィン系樹脂、ポリオレフィン系共重合体、ポリスチレン、ポリビニルブチラール、塩化ビニル−酢酸ビニル共重合体、アクリル系樹脂等の熱可塑性樹脂を主成分として、これらに顔料等を含むものが用いられ、一方の紙片に疑似接着剤を塗布し、この塗布された面と他方の紙片の塗布されていない面を重ねてプレスすることにより剥離可能に疑似接着させることができる。また、剥離層を形成し、その上に疑似接着層を形成することにより剥離層と疑似接着層との間で剥離させる構成としてもよい。この場合、一方の紙片に剥離層と疑似接着層を積層してもよいし、一方の紙片に剥離層を形成し、他方の紙片に疑似接着層を形成してもよい。剥離層を形成する剥離剤としては、シリコーン等の離型性を有する材料を含む紫外線硬化型オフセットインキ、鉱油を添加したエステル系樹脂、パラフィンワックスやマイクロクリスタリンワックスを添加したアクリル酸エステル系樹脂等が使用でき、疑似接着総を形成する疑似接着剤としては、前記疑似接着剤やアクリル系エマルジョン型接着剤等が使用できる。
疑似接着剤は表紙片１０または裏紙片２０に印刷された固定情報に見当合せして所定位置にパターン塗工されることにより各接着部が形成され、表紙片１０と裏紙片２０が見当合せしながら重ね合わされ（丁合）、プレスされると剥離可能に疑似接着されるものであり、疑似接着された各接着部は配送中に剥離することなく、開封時には容易に開封できる構成とされている。
【００２６】
また、疑似接着剤をパターン塗工して第一接着部３、第二接着部４及び第三接着部５を独立して形成し、非接着部２３、２５、３４、４５を設けることが好ましい。
その理由は、送付物１の製造工程において、丁合機で固定情報が印刷されたロール状の表紙片１０と、固定情報印刷され疑似接着剤がパターン塗工されたロール状裏紙片２０が丁合され、プレスされ封緘される際、非接着部がないと第一接着部３、第二接着部４、及び第三接着部５、並びに綴じ部２で囲まれた領域とこの領域を上下から覆う表紙片１０、裏紙片２０により形成される空間８（図３、図４参照）内に残留する空気の逃げ道がないので表紙片１０または裏紙片２０、あるいは両紙片にプレスシワが発生したり、第一接着部３、第二接着部４、または第三接着部５の一部が剥離したりすることがある。非接着部２３、２５、３４、４５を設けることにより、空間８と外部は連通しているので非接着部が空気の逃げ道となり、空間８内の空気は４つの非接着部２３、２５、３４、４５から容易に抜けるという効果を奏する。
【００２７】
つぎに表紙片１０、裏紙片２０に使用される材料としては、例えば、上質紙、中質紙、コート紙、クラフト紙等が使用でき、目的に応じて適宜選択される。坪量としては、５０ｇ／ｍ2 〜１６０ｇ／ｍ2 である。
【００２８】
図５は本発明の送付物を開封し見開いた状態を示す説明図である。図１に示すように送り手側から送付された送付物１を受け取った受取人は、剥離開始部６より表紙片１０と裏紙片２０を摘み、相反する方向に引っ張ることにより、第二接着部４、第三接着部５、第一接着部３に沿って剥離し、綴じ部２の内縁に達すると開封が終了し、綴じ部２の内縁で表紙片１０を折り返すと図５に示すように送付物１を見開くことができ、表紙片１０の内面、裏紙片２０の内面に記載された広告や各種情報を閲覧することができる。
図５に示す開封された送付物１’には第二接着部４、第三接着部５、第一接着部３を剥離した部分を剥離された第二接着部４’、第三接着部５’、第一接着部３’として点線で示している。
【符号の説明】
【００２９】
１                            送付物
１’                          開封された送付物
２                            綴じ部
３                            第一接着部
３’                          剥離された第一接着部
４                            第二接着部
４’                          剥離された第二接着部
５                            第三接着部
５’                          剥離された第三接着部
２３、２５、３４、４５        非接着部
６                            剥離開始部
７                            切欠き
８                            空間
１０                          表紙片
１１                          差出料金表示
１２                          送り先、宛名記載部
１３                          広告表示部
１４                          差出人記載部
２０                          裏紙片
２１                          表示マーク
【図１】
2017013266.tif 000003
【図２】
2017013266.tif 000004
【図３】
2017013266.tif 000005
【図４】
2017013266.tif 000006
【図５】
2017013266.tif 000007